(57)【要約】【課題】パチンコ遊技機の製造効率を向上させる。【解決手段】遊技球の流下方向を変化させる複数の遊技釘２５が遊技領域２０内に打ち込まれたパチンコ遊技機にあって、遊技領域２０外に、遊技釘２５と同種の釘からなり、遊技盤５の正面から突き出る高さが遊技釘２５と略等しいバランス釘２６を打ち込むようにした。従来のパチンコ遊技機では、遊技釘２５の打込み後に遊技盤５を積み重ねると、遊技釘２５の配置によっては積み重ねた遊技盤５が不安定となり、崩れやすくなるが、かかるパチンコ遊技機では、遊技盤５上の遊技釘２５の位置に大きな偏りがある場合でも、バランス釘２６が遊技領域２０の周囲で遊技盤５を支持することで、遊技盤５を安定して積み重ねることができ、これにより、パチンコ遊技機の製造時に、狭いスペースに多数の遊技盤５を適切に保管可能となる。【選択図】図３
2012130510.tif 000002
【特許請求の範囲】
【請求項１】
遊技球が転動流下する遊技領域が正面に区画形成され、該遊技領域内に遊技球の流下方向を変化させる複数の遊技釘が打ち込まれた遊技盤を備えるパチンコ遊技機であって、
遊技盤の正面には、遊技領域外に、遊技釘と同種の釘からなり、遊技盤の正面から突き出る高さが遊技釘と略等しいバランス釘が打ち込まれていることを特徴とするパチンコ遊技機。
【請求項２】
遊技盤の中央部から右上部に形成された取付用開口に、画像表示器を備えるケース部材が組み付けられており、
前記遊技釘は、遊技盤の右上部に打ち込まれておらず、前記バランス釘は、少なくとも、遊技盤の右上部に打ち込まれていることを特徴とする請求項１記載のパチンコ遊技機。
【請求項３】
前記遊技釘及びバランス釘は、遊技盤にその他の部材を取り付ける前に遊技盤に打ち込まれたものであることを特徴とする請求項１又は請求項２に記載のパチンコ遊技機。
【請求項４】
遊技球が転動流下する遊技領域が正面に区画形成され、該遊技領域内に遊技球の流下方向を変化させる複数の遊技釘が打ち込まれた遊技盤を備えるパチンコ遊技機の製造方法であって、
遊技盤の正面の遊技領域となる領域に遊技釘を打ち込むとともに、遊技領域外となる領域に、遊技釘と同種の釘からなるバランス釘を、遊技盤の正面から突き出る高さが遊技釘と略同じとなるように打ち込む釘打工程と、
該釘打工程の後に、遊技盤に所要の部材を取り付ける部材取付工程と、
該部材取付工程の後に、遊技盤を遊技機本体に取り付ける遊技盤取付工程とを含むことを特徴とするパチンコ遊技機の製造方法。
【発明の詳細な説明】
【技術分野】
【０００１】
本発明は、遊技球が転動流下する遊技領域が正面に区画形成された遊技盤を備えるパチンコ遊技機及びその製造方法に関する。
【背景技術】
【０００２】
パチンコ遊技機は、遊技球が転動流下する遊技領域が正面に区画形成された遊技盤を具備している。遊技領域には、遊技釘や遊技部材が配設されており、遊技球は、遊技領域の左上部に打ち出されて、遊技釘などによって流下方向を変化させながら遊技領域を転動流下するよう構成されている（例えば、特許文献１）。
【０００３】
一般的なパチンコ遊技機の製造工程では、遊技盤は、遊技釘や入賞装置などを固定した後で、遊技機本体の遊技枠に取り付けられる。また、遊技釘は、その他の部材を遊技盤に固定する前に、ＮＣ制御の釘打装置によって遊技盤に打ち込まれる（例えば、特許文献２）。
【先行技術文献】
【特許文献】
【０００４】
【特許文献１】特開２０１０−０５７７６２号公報
【特許文献２】特開平１１−９０００２号公報
【発明の概要】
【発明が解決しようとする課題】
【０００５】
従来のパチンコ遊技機の製造工程では、上述の釘打装置を用いることで、その他の部材よりも効率的に遊技釘を遊技盤に設置できる。このため、遊技釘を打ち終えた遊技盤は、他の部材の取付作業が行われるまで、多数（例えば５０枚）積み重ねて保管される。この時、遊技盤の正面には遊技釘が多数突き出ているが、各遊技釘の突出高さは略等しいため、遊技釘の頭部を別の遊技盤の背面に当接させることで、遊技盤を積み重ねることができる。
【０００６】
しかしながら、近年のパチンコ遊技機では、画像表示器や役物を内蔵したケース部材が遊技盤中央部に組み付けられており、このケース部材が大型化するにつれて、遊技釘を打込可能な領域が減少し、遊技釘の配置が大きく偏ってきている。とりわけ、遊技盤の中央部から右上部に大型のケース部材が組み付けられる機種では、遊技盤の右上部に遊技釘が１本も打ち込まれていない。このため、近年のパチンコ遊技機では、遊技釘を打ち込んだ遊技盤を積み重ねた時に、遊技釘の配置が偏っているが故に不安定で崩れやすいという問題がある。崩れて傷ついた遊技盤は不良品として廃棄しなくてはならないため、近年では、遊技釘を打ち込んだ後に遊技盤を高く積み上げて保管することが難しく、保管に広いスペースを要し、製造効率が低下している。
【０００７】
本発明は、かかる問題を解決し得るパチンコ遊技機及びその製造方法の提供を目的とする。
【課題を解決するための手段】
【０００８】
本発明は、遊技球が転動流下する遊技領域が正面に区画形成され、該遊技領域内に遊技球の流下方向を変化させる複数の遊技釘が打ち込まれた遊技盤を備えるパチンコ遊技機であって、遊技盤の正面には、遊技領域外に、遊技釘と同種の釘からなり、遊技盤の正面から突き出る高さが遊技釘と略等しいバランス釘が打ち込まれていることを特徴とするパチンコ遊技機である。ここで、本発明に係る「遊技盤の正面」とは、パチンコ遊技機に装着された状態で、パチンコ遊技機の正面側となる面を指す。
【０００９】
かかる構成にあっては、遊技釘打込後に遊技盤を積み重ねた際に、遊技領域外に打ち込まれたバランス釘が、遊技釘とともに積み重なった遊技盤を支持することとなる。したがって、かかる構成によれば、遊技釘の配置が偏った遊技盤であっても、遊技盤を安定して積み重ねることが可能となる。また、遊技釘の配置が大きく偏っていない遊技盤では、積み重なった遊技盤がバランス釘によって一層安定するから、従来よりも高く積み上げ可能となる。
【００１０】
本発明にあって、遊技盤の中央部から右上部に形成された取付用開口に、画像表示器を備えるケース部材が組み付けられており、前記遊技釘は、遊技盤の右上部に打ち込まれておらず、前記バランス釘は、少なくとも、遊技盤の右上部に打ち込まれている構成が提案される。
【００１１】
上述のように、遊技盤の中央部から右上部に大型のケース部材が配設されて、遊技盤の右上部に遊技釘が１本も打ち込まれていない機種が増えている。こうした機種では、遊技釘打込後の遊技盤を積み重ねた時に、遊技盤の右上部を遊技釘で支えることができず極めて不安定となるが、かかる構成にあっては、バランス釘が遊技盤右上部で遊技盤を支えるから、遊技盤を安定して積み重ねることが可能となる。
【００１２】
また、本発明にあって、前記遊技釘及びバランス釘は、遊技盤にその他の部材を取り付ける前に遊技盤に打ち込まれたものである構成が提案される。
【００１３】
また、本発明の別の態様は、遊技球が転動流下する遊技領域が正面に区画形成され、該遊技領域内に遊技球の流下方向を変化させる複数の遊技釘が打ち込まれた遊技盤を備えるパチンコ遊技機の製造方法であって、遊技盤の正面の遊技領域となる領域に遊技釘を打ち込むとともに、遊技領域外となる領域に、遊技釘と同種の釘からなるバランス釘を、遊技盤の正面から突き出る高さが遊技釘と略同じとなるように打ち込む釘打工程と、該釘打工程の後に、遊技盤に所要の部材を取り付ける部材取付工程と、該部材取付工程の後に、遊技盤を遊技機本体に取り付ける遊技盤取付工程とを含むことを特徴とするパチンコ遊技機の製造方法である。
【００１４】
かかる製造方法にあっては、釘打工程終了後に遊技盤を積み重ねた時に、遊技釘とバランス釘とによって遊技盤を支持できるから、遊技釘の配置に大きな偏りのある遊技盤であっても、安定して積み重ねることが可能となる。また、バランス釘は、遊技釘と打ち込む領域が異なるだけで、釘自体は同じものであり、遊技盤に打ち込む深さも同じである。このため、ＮＣ制御の釘打装置であれば、遊技釘の位置に加えて、バランス釘の位置を設定するだけで、遊技釘とバランス釘を同一工程で簡単に打ち込むことができる。また、バランス釘は数本程度で済むと考えられ、１００本以上必要な遊技釘に比べて極めて少数である。すなわち、かかる製造方法によれば、バランス釘の打込みに係る費用と手間は少ないもので足り、その一方で、バランス釘によってパチンコ遊技機の製造工程を少なからず効率化できるから、全体として、パチンコ遊技機の製造コストを低減可能となる。
【発明の効果】
【００１５】
以上に述べたように、本発明によれば、遊技釘の配置に偏りがある遊技盤であっても、遊技釘を打ち込んだ後に、遊技盤を安定して積み重ねることが可能となる。このため、遊技機の製造工程にあって、遊技釘打込後に遊技盤を高く積み重ねて保管することが可能となり、これにより製造効率を向上させることが可能となる。
【図面の簡単な説明】
【００１６】
【図１】パチンコ遊技機１の斜視図である。
【図２】前扉６を取り外した状態のパチンコ遊技機１の正面図である。
【図３】遊技盤５の正面図である。
【図４】遊技盤５の背面図である。
【図５】遊技釘２５及びバランス釘２６以外を省略して示す遊技盤５の斜視図である。
【図６】遊技盤５に係る製造工程を示すフローチャートである。
【図７】バランス釘２６の作用説明図である。
【図８】変形例の遊技盤５ａの斜視図である。
【図９】変形例の遊技盤５ａにおける遊技釘２５及びバランス釘２６の配置を示す説明図である。
【発明を実施するための形態】
【００１７】
本発明の実施形態を、以下の実施例に従って説明する。
本実施例におけるパチンコ遊技機１は、図１，２に示されるように、遊技島設備（図示省略）に起立状に取り付けられる木製で長方形状の外枠２と、この外枠２の前面開口部分に内嵌するように配設される遊技機本体３とを備えてなる。
【００１８】
遊技機本体３は、図２に示すように、略矩形状のアルミ製枠体からなる遊技枠４を主体とするものであり、外枠２と遊技枠４とに配設された上下一対のヒンジ部材８によって外枠２の左側縁に脱着可能に枢支される。遊技枠４には、上部から中央部にかけて略矩形の開口部が形成されており、該開口部を塞ぐように遊技盤５が取り付けられている。また、遊技盤５が取り付けられた遊技枠４の上部から中央部は、図１に示すように、開閉可能な前扉６によって覆われている。そして、遊技枠４の前面下部には、遊技球を貯留可能な下皿部材１１が設けられる。また、下皿部材１１の右隣には、発射ハンドル１３が設けられ、下皿部材１１の上方には、発射装置１２が配設される。
【００１９】
遊技機本体３の前面部に枢支される前扉６は、合成樹脂製の方形状板体である。図１に示すように、前扉６の中央には、透明板９が装着された略円形の開口部１５が形成されており、該開口部１５を介して、遊技盤５の正面に区画形成された遊技領域２０を視認可能となっている。また、開口部１５の下部前面には上皿部材１０が配設される。
【００２０】
遊技盤５は、図３，４に示すように、木製合板２１の正面全体に樹脂製のセル板２２を貼付してなる略矩形状の板体であり、固定金具１６（図２参照）によって遊技枠４に脱着可能に固定される。この遊技盤５には、様々な部材が取り付けられている。例えば、遊技盤５の正面には、３つのレール部材２３ａ，２３ｂ，２３ｃによって略円形の遊技領域２０と、発射された遊技球を遊技領域２０に案内する案内通路１９とが形成される。遊技領域２０には、遊技球の流下方向を変化させる遊技釘２５や風車２７が配設される。また、遊技盤５には、図５に示すように、部材取付用の取付用開口２４ａ〜２４ｄが形成されており、これらの取付用開口２４ａ〜２４ｄに各種の部材が取り付けられる。例えば、遊技領域２０の中央部から右上部にかけて形成される最も大きな取付用開口２４ａには、樹脂製のケース部材２８が組み付けられる。このケース部材２８は、大型の画像表示器２９を具備しており、また、入賞装置３０ａや球通路３１、多数のＬＥＤ３４も配設されている。また、ケース部材２８下方の二つの取付用開口２４ｂ，２４ｃには、各種の入賞装置３０ｂ〜３０ｄが組み付けられる。さらにケース部材２８の左方の取付用開口２４ｄには、遊技球が通過可能なゲート装置３２が配設される。また、遊技領域２０の下部には、アウト口３３が開口している。
【００２１】
一方、遊技盤５の背面には、入賞装置３０ａ〜３０ｄに流入した遊技球を集める樋部材３６や、各種の電子基板を内蔵した基板ケース（図示省略）などが取り付けられる。そして、図４に示すように、これらの部材は、カバー部材３５によって背面側から覆われている。
【００２２】
かかる構成にあっては、遊技球は、案内通路１９を通って遊技領域２０の左上部に発射され、遊技釘２５や風車２７によって流下方向を変化させながら遊技領域２０を転動流下し、その幾つかは入賞装置３０ｂ〜３０に入賞し、入賞しなかった遊技球はアウト口３３から排出される。
【００２３】
遊技領域２０に打ち込まれた１５０本以上の遊技釘２５は、図５に示すように、同サイズの真鍮製の釘で構成されている。各遊技釘２５は、多少の傾きはあるものの、遊技盤５の正面に対して略垂直に打ち込まれており、また、遊技盤５の正面から突出する高さも略一定となっている。上述のように、遊技領域２０には、中央部から右上部にかけてケース部材２８を組み付ける取付用開口２４ａが形成されているため、遊技釘２５は、遊技盤５の右上部には全く打ち込まれていない。
【００２４】
一方、遊技盤５の正面には、遊技盤５の右上部であって、遊技領域２０の外側に当たる領域に、２本のバランス釘２６が打ち込まれている。このバランス釘２６，２６は、遊技釘２５と同種の釘、すなわち、同サイズの真鍮製の釘であり、遊技釘２５同様に、遊技盤５の正面に対して略垂直に、また、遊技盤５の正面からの突出高さが各遊技釘２５と略等しくなるように打ち込まれている。このバランス釘２６は、遊技盤５を安定して積み重ねるために遊技領域外に突出状に打ち込まれたものであり、該バランス釘２６が遊技球の流下方向を変化させることはなく、また、バランス釘２６は他の部材を遊技盤５に固定するのにも用いられていない。
【００２５】
次に、上記パチンコ遊技機１の製造方法にあって、本発明の要部に係る遊技釘２５及びバランス釘２６の打込みに係る工程について説明する。なお、その他の各工程については、従来の製造方法と同様に行うことができるため、詳細な説明は省略する。
【００２６】
図６は、上記実施例のパチンコ遊技機１の製造工程にあって、遊技盤５を作製して遊技枠４に取り付けるまでの工程を示したフローチャートである。具体的に説明すると、最初の合板切断工程（Ｓ１）では、木製合板２１を遊技盤５の外形となるように切断する。そして、次のセル板貼付工程（Ｓ２）では、切断した木製合板２１の正面全体にセル板２２を接着して遊技盤５を得る。続く穴あけ工程（Ｓ３）では、遊技盤５に、前記取付用開口２４ａ〜２４ｄを形成するとともに、釘を打ち込んだり、木ねじをねじ込んだりするための下穴を両面の所要位置に形成する。
【００２７】
そして、釘打工程（Ｓ４）では、釘打装置によって、遊技盤５の正面に遊技釘２５及びバランス釘２６の打込みを行う。釘打装置には、既存の遊技盤に遊技釘を打ち込むのに用いられるＮＣ制御の釘打装置を好適に使用できる。ここで、遊技釘２５とバランス釘２６は、打込む位置が異なるだけで、釘自体は同じものであり、また、遊技盤５の正面から突き出る高さや、遊技盤５に対する角度も略同じであるため、かかる釘打工程では、遊技釘２５とバランス釘２６を区別することなく一連の作業内で打ち込むことができる。
【００２８】
釘打工程（Ｓ４）の終了後の部材取付工程（Ｓ５）では、遊技盤５に各種の部材が取り付けられる。具体的には、まず、レール部材２３ａ〜２３ｃや風車２７などを遊技盤５の正面に取り付け、次に、ケース部材２８、入賞装置３０ａ〜３０ｄ、及びゲート装置３２を取付用開口２４ａ〜２４ｄに組み付ける。さらには、遊技盤５の背面側に樋部材３６や基板ケースを取り付ける。
【００２９】
遊技盤取付工程（Ｓ６）では、各種部材を取り付けた遊技盤５を遊技枠４に取り付けて固定金具１６で固定する。なお、前記カバー部材３５等の幾つかの部材は、この遊技盤取付工程（Ｓ６）の後で遊技盤５に取り付けられる。
【００３０】
ここで、上記部材取付工程（Ｓ５）では多くの部材を遊技盤５に取り付けるため、直前の釘打工程（Ｓ４）に比べて時間を要し、遊技盤５は、釘打工程（Ｓ４）終了後に一時的に積み重ねられて保管されることとなる。この時、遊技盤５の右上部にバランス釘２６が打ち込まれていなければ、図７（ａ）に示すように、積み重なった遊技盤５は、右上部分（図７中の右側部分）における支えがなく、不安定で崩れやすいものとなる。これに対して、本実施例では、遊技盤５を積み重ねた時に、バランス釘２６が右上部分で遊技盤５を支持することで、積み重なった遊技盤５が安定し、崩れ難いものとなる。
【００３１】
このように、本実施例にあっては、遊技釘２５の打込み箇所に偏りのある遊技盤５であっても、遊技盤５の右上部に打ち込まれた２本のバランス釘２６によって、製造時に安定して積み重ねることが可能となる。このため、本実施例にあっては、釘打工程の後に、遊技盤５を高く積み重ねて保管することができ、これにより保管スペースを減少させて製造効率を向上させることができる。特に、バランス釘２６は、遊技釘２５と同工程で打ち込まれるものであり、また、遊技釘２５の打込み本数（１５０本）に比べて極めて少数（２本）であるから、従来構成に加えてバランス釘２６を打込むための費用と手間はわずかで済む。したがって、本実施例によれば、非常に少ない費用と手間でパチンコ遊技機の製造工程を効率化でき、全体としてパチンコ遊技機の低コスト化が可能となる。
【００３２】
図８は、変形例の遊技盤５ａの斜視図であり、図９は、該遊技盤５ａにおける遊技釘２５及びバランス釘２６の配置を示す説明図である。なお、本変形例の遊技盤５ａにあって、上記実施例と構成の共通する部分については、図８，９で符号を共通させて説明を省略する。かかる変形例にあっては、バランス釘２６は、矩形状の遊技盤５ａの四隅に、遊技釘２５と同じ高さで打ち込まれている。本変形例の遊技盤５ａは、上記実施例ほど遊技釘２５の配置が偏っていないため、バランス釘２６がなくても、比較的安定して遊技盤５ａを積み重ねることが可能であるが、本変形例では、四隅のバランス釘２６によって、遊技盤５ａをより一層安定に積み重ねることができ、これにより遊技盤５ａをより高く積み上げて保管することが可能となる。このように、本発明に係るバランス釘は、遊技領域外であれば、遊技盤の右上部以外にも打ち込むことが可能であり、また、本発明は、遊技釘の配置がそれほど偏っていないものに対しても有効である。
【００３３】
なお、本発明のパチンコ遊技機及びその製造方法は、上記実施例の形態に限らず本発明の要旨を逸脱しない範囲内において種々変更を加えることができる。例えば、上記実施例に係る遊技盤５は、木製合板を主体とするものであったが、本発明に係る遊技盤は、樹脂製板を主体とするものであってもよい。また、上記実施例では、遊技釘２５及びバランス釘２６を打込む前に、遊技盤５に取付用開口２４ａ〜２４ｄを形成しているが、取付用開口２４ａ〜２４ｄは、遊技釘２５及びバランス釘２６の打込み後に形成するようにしてもよい。
【符号の説明】
【００３４】
１  パチンコ遊技機
３  遊技機本体
４  遊技枠
５，５ａ  遊技盤
１６  固定金具
２０  遊技領域
２１  木製合板
２２  セル板
２３ａ，２３ｂ，２３ｃ  レール部材
２４ａ，２４ｂ，２４ｃ，２４ｄ  取付用開口
２５  遊技釘
２６  バランス釘
２７  風車
２８  ケース部材
２９  画像表示器
３０ａ，３０ｂ，３０ｃ，３０ｄ  入賞装置
３１  球通路
３２  ゲート装置
３４  ＬＥＤ
３５  カバー部材
３６  樋部材
【図１】
2012130510.tif 000003
【図２】
2012130510.tif 000004
【図３】
2012130510.tif 000005
【図４】
2012130510.tif 000006
【図５】
2012130510.tif 000007
【図６】
2012130510.tif 000008
【図７】
2012130510.tif 000009
【図８】
2012130510.tif 000010
【図９】
2012130510.tif 000011